(57)【要約】【課題】養殖池内の水を曝気することで生じるへどろを減少でき生産性が向上し、養殖池の長寿命化及び養殖池と周辺水域の環境保護を実現でき、別途設備を設置しなくても養殖池中の浮遊物の除去や養殖池の水の排水ができる養殖池の曝気設備及び曝気設備を利用した被養殖生物の収穫方法を提供する。【解決手段】吸込側パイプライン３０と、吸込側パイプライン３０から養殖池１０内の水を吸い上げるポンプＰと、吸い上げた水に空気を混合・曝気するエジェクターＥと、曝気した水を養殖池１０に吐き出す吐出側パイプライン５０とを具備する。吸込側パイプライン３０と吐出側パイプライン５０は養殖池１０底部近傍に面状の広がりを持つように設置される。吸込側パイプライン３０と吐出側パイプライン５０に吸込口３５と吐出口５５を設ける。被養殖生物の収穫時は三方弁Ｖを切り換えてポンプＰによって吸込側パイプライン３０から排水用パイプ６０に排水する。【選択図】      図１
2004261008.tif 000002
【特許請求の範囲】
【請求項１】
被養殖生物を養殖する養殖池内に設置される吸込側パイプラインと、前記吸込側パイプラインを通して養殖池内の水を吸い上げるポンプと、前記ポンプによって吸い上げられた水に空気を混合するエジェクターと、養殖池内に設置されて前記エジェクターによって曝気された水を養殖池内に吐き出す吐出側パイプラインとを具備することを特徴とする養殖池の曝気設備。
【請求項２】
前記吸込側パイプラインは養殖池底部近傍に全体として面状の広がりを持つように設置され、且つこの吸込側パイプラインには、その各部から水が吸い込まれるように複数の吸込口が設けられていることを特徴とする請求項１記載の養殖池の曝気設備。
【請求項３】
前記吐出側パイプラインは養殖池底部近傍に全体として面状の広がりを持つように設置され、且つこの吐出側パイプラインには、その各部から曝気された水が吐出されるように複数の吐出口が設けられていることを特徴とする請求項１記載の養殖池の曝気設備。
【請求項４】
前記曝気設備には、前記吸込側パイプラインから吸い込まれた水の中の浮遊物を除去する濾過機が設置されていることを特徴とする請求項１又は２又は３記載の養殖池の曝気設備。
【請求項５】
被養殖生物の収穫時に行なう養殖池の水の排水は、請求項１又は２又は３又は４記載の曝気設備のポンプによって養殖池の水を吸込側パイプラインから吸い上げて排水することによって行なうことを特徴とする曝気設備を利用した被養殖生物の収穫方法。
【発明の詳細な説明】
【０００１】
【発明の属する技術分野】
本発明は、海老等の被養殖生物を養殖する養殖池に用いて好適な養殖池の曝気設備及びこの曝気設備を利用した被養殖生物の収穫方法に関するものである。
【０００２】
【従来の技術】
従来、海老等の被養殖生物を養殖する養殖池には、空気（酸素）を供給して水の汚染を防止するための曝気設備が設置されている。そしてこの種曝気設備として従来使用されているものは、図４に示すように、養殖池１００に浮かべるパドルホイールエアレータ１１０であった。パドルホイールエアレータ１１０はフロート１１１によって浮かべられる回転パドル１１３を図示しない駆動手段によって回転駆動し、パドル１１５が跳ね上げる水に空気を供給することで曝気する。
【０００３】
しかしながら上記従来の曝気設備には以下のような問題点があった。
▲１▼パドルホイールエアレータ１１０を駆動すると、養殖池１００内の広範囲にわたって矢印で示すような水の循環流れが生じ、このため養殖池１００の斜面１０１や底部１０３の土壌が侵食される。そして侵食された土壌は被養殖生物が食べ残した餌、被養殖生物の糞、被養殖生物の死骸、植物性プランクトンの死骸等と混じりながら底部１０３の中央付近に堆積し、へどろ（Ｓｌｕｄｇｅ）１２０を形成する。そして嫌気性のへどろ１２０は養殖池１００内の水を汚染し、被養殖生物の成長を妨げてその収穫量を減少させるばかりか、養殖池１００自体の寿命を短くし、さらにこの水を外部に排水することで周辺環境が汚染されてしまう。
【０００４】
▲２▼養殖池１００の水中には前述のように被養殖生物が食べ残した餌、被養殖生物の糞、被養殖生物の死骸、植物性プランクトンの死骸等から生じる各種浮遊物が浮遊しているが、これら浮遊物の中には被養殖生物の病気原因となるものである。このためこの浮遊物を除去しようとすると、別途浮遊物除去設備を設置しなければならず、設備コストが高くなってしまう。
【０００５】
▲３▼養殖池１００で養殖した被養殖生物を収穫する際は池の水を排水するが、そのためには別途移動式仮設ポンプが必要になり、設備コストが高くなってしまう。
【０００６】
【発明が解決しようとする課題】
本発明は上述の点に鑑みてなされたものでありその目的は、養殖池内の水を曝気することで生じるへどろを減少でき、同時に別途特別な設備を設置しなくても養殖池中の浮遊物を除去したり養殖池の水を排水することができる養殖池の曝気設備及びこの曝気設備を利用した被養殖生物の収穫方法を提供することにある。
【０００７】
【課題を解決するための手段】
上記問題点を解決するため本発明にかかる養殖池の曝気設備は、被養殖生物を養殖する養殖池内に設置される吸込側パイプラインと、前記吸込側パイプラインを通して養殖池内の水を吸い上げるポンプと、前記ポンプによって吸い上げられた水に空気を混合するエジェクターと、養殖池内に設置されて前記エジェクターによって曝気された水を養殖池内に吐き出す吐出側パイプラインとを具備することを特徴とする。ここでパイプラインとは、パイプを這い回して形成される養殖池の水の輸送管のことを言う。
【０００８】
また本発明は、前記吸込側パイプラインが養殖池底部近傍に全体として面状の広がりを持つように設置され、且つこの吸込側パイプラインには、その各部から水が吸い込まれるように複数の吸込口が設けられていることを特徴とする。
【０００９】
また本発明は、前記吐出側パイプラインが養殖池底部近傍に全体として面状の広がりを持つように設置され、且つこの吐出側パイプラインには、その各部から曝気された水が吐出されるように複数の吐出口が設けられていることを特徴とする。
【００１０】
また本発明は、前記曝気設備に、前記吸込側パイプラインから吸い込まれた水の中の浮遊物を除去する濾過機が設置されていることを特徴とする。また必要に応じて前記吸込側パイプラインから吸い込まれた水に薬液を添加したり、紫外線を照射したり等して殺菌する殺菌設備を設置することもできる。
【００１１】
また本発明は、被養殖生物の収穫時に行なう養殖池の水の排水を、前記曝気設備のポンプによって養殖池の水を吸込側パイプラインから吸い上げて排水することによって行なうことを特徴とする。
【００１２】
【発明の実施の形態】
以下、本発明の実施の形態を図面を参照して詳細に説明する。
図１は本発明の一実施形態にかかる曝気設備２０を養殖池１０内に設置した状態を示す概略斜視図である。同図に示すようにこの曝気設備２０は、地面に凹部を設けて構成された養殖池１０内の底部近傍に、吸込側パイプライン３０と吐出側パイプライン５０とを設置し、吸込側パイプライン３０から養殖池１０の外部に引き出した引出パイプ４０に濾過機ＦとポンプＰと三方弁ＶとエジェクターＥとを接続し、この引出パイプ４０を再び養殖池１０内に導入して吐出側パイプライン５０に接続するように構成されている。以下各構成部品について説明する。
【００１３】
吸込側パイプライン３０は合成樹脂製（他の材質であっても良い）のパイプであって中央に設置される主管３１の左右に複数本の枝管３３を接続し、これによって養殖池１０の底部近傍に全体として面状の広がりを持つように設置されている。吸込側パイプライン３０の複数ヶ所（この図では各枝管３３に二ヶ所ずつ）には水を吸い込む吸込口３５が吸込側パイプライン３０全体に吸込量がほぼ均等になるように設けられている。ここで図２は吸込側パイプライン３０の吸込口３５部分を示す要部拡大斜視図である。同図に示すように吸込口３５は吸込側パイプライン３０を構成するパイプの左右に設けられており、これら吸込口３５の周囲は網状の防護用ネット３７を巻くことで覆われている。この防護用ネット３７は魚介類生物吸込防止用であり、被養殖生物が稚魚の時に吸い込まれたり、又は流れに乗って泳ぎ込むのを防止するために設置され、又、貝類の侵入をも極力防止するために設置されている。
【００１４】
また図１に示すように吸込側パイプライン３０の複数ヶ所には、この吸込側パイプライン３０を養殖池１０の底部から少し浮く位置に設置して吸込口３５が養殖池１０の底部の土や泥に埋まらないようにするため、脚部３９が設けられている。
【００１５】
吐出側パイプライン５０も合成樹脂製（他の材質であっても良い）のパイプであって中央に設置される主管５１の左右に複数本の枝管５３を接続し、これによって養殖池１０の底部近傍に全体として面状の広がりを持つように設置されている。吐出側パイプライン５０の複数ヶ所（この図では各枝管５３に二ヶ所ずつ）には水を吐き出す吐出口５５が吐出側パイプライン５０全体に吐出量がほぼ均等になるように設けられている。吐出口５５の構造は前記吸込口３５の構造と同じであり、図２に示すように吐出側パイプライン５０を構成するパイプの左右に設けた吐出口５５の周囲に網状の防護用ネット５７を巻くことで覆って構成されている。この防護用ネット５７は、吐出側パイプライン５０内を水と空気が流下してくる途中で空気が分離・再結合して塊状となったものを再度細分して養殖池１０内に吐出させ、養殖池１０内の水の曝気をより効果的に行うようにするために設置されている。
【００１６】
また吐出側パイプライン５０の複数ヶ所にも、この吐出側パイプライン５０を養殖池１０の底部から少し浮く位置に設置して吐出口５５が養殖池１０の底部の土や泥に埋まらないようにするため、脚部５９が設けられている。
【００１７】
なお上記吸込側パイプライン３０と吐出側パイプライン５０の何れについてもパイプの這い回し構造は種々の変更が可能であり、また吸込口３５や吐出口５５の形状、構造、またこれら吸込口３５や吐出口５５を保護する防護手段の構造も種々の変更が可能である。また弁等の切換手段を用いれば、吸込側パイプライン３０と吐出側パイプライン５０とを切り換えることで適宜、吸込側パイプライン３０を吐出側パイプラインとして、吐出側パイプライン５０を吸込側パイプラインとして使用することもできる。
【００１８】
濾過機Ｆはフィルター等によって構成されて引出パイプ４０中を通過する水の中の浮遊物を除去する機能を有し、三方弁Ｖは吸込側パイプライン３０と吐出側パイプライン５０間の接続と、吸込側パイプライン３０と排水用パイプ６０間の接続とを切り換える機能を有する。またエジェクターＥは、パイプ中を流れている水の中に空気を混合していく機能を有するものである。
【００１９】
次に曝気設備２０を設置した養殖池１０の使用方法を説明する。図１に示す養殖池１０に水を入れ、海老等の被養殖生物の養殖を開始し、適宜曝気設備２０によって曝気を行なう。即ち三方弁Ｖによって吸込側パイプライン３０と吐出側パイプライン５０間を接続した状態でポンプＰを駆動すると、吸込側パイプライン３０の各吸込口３５から養殖池１０内の水が吸い込まれる。吸込口３５は吸込側パイプライン３０の面全体にほぼ均等に複数設けられているので、吸込側パイプライン３０が養殖池１０底部の略全体に敷設されることで、養殖池１０全体から養殖池１０の水がポンプアップされることになる。
【００２０】
ポンプアップされた水は、濾過機Ｆを通過することで濾過されてこの水の中に浮遊していた浮遊物が取り除かれ、エジェクターＥを通過することで空気と混合されて曝気された後、吐出側パイプライン５０の各吐出口５５から養殖池１０内に吐き出される。吐出口５５は吐出側パイプライン５０の面全体にほぼ均等に複数設けられているので、吐出側パイプライン５０が養殖池１０底部の略全体に敷設されることで、曝気後の水は養殖池１０全体に同時に供給される。
【００２１】
本発明によれば図３に示すように養殖池１０の水の吸い込みと吐き出しとを何れも養殖池１０全体に対して略均等に面状に行なうので、図４に示す従来例のような養殖池１０全体にわたる広範囲な循環流れは生じず、従って養殖池１０の側面１１や底部１２が侵食されにくく、また被養殖生物が食べ残した餌、被養殖生物の糞、被養殖生物の死骸、植物性プランクトンの死骸等が底部１２の中央付近に堆積することもなく、これらのことからへどろ（Ｓｌｕｄｇｅ）を減少できる。また設備中に濾過機Ｆを設置したので水中の浮遊物を効果的に除去でき、被養殖生物の病気を防止できる。これらのことから養殖池１０の水の汚染が防止され、被養殖生物の成長が阻害されずにその収穫量を維持できるばかりか、養殖池１０自体の長寿命化が実現でき、さらにたとえこの水を外部に排水しても周辺環境を汚染することはなく、養殖池１０と周辺地域の環境を保護できる。特にこの実施形態のように吸込側パイプライン３０と吐出側パイプライン５０とを養殖池１０の底部１２近傍に設置すれば、効率良く養殖池１０全体を曝気できる。
【００２２】
以上のようにして養殖した被養殖生物を収穫する際は、図１に示す三方弁Ｖを切り換えて吸込側パイプライン３０と排水用パイプ６０間を接続し、ポンプＰを駆動する。これによって吸込側パイプライン３０の各吸込口３５から吸い込まれた水は排水用パイプ６０によって養殖池１０に隣接する運河７０に排水される。なおこの実施形態では運河７０に排水したが、排水溝や排水管等、他の各種排水設備に排水するようにしてもよいことは言うまでもない。即ち本発明によれば、曝気設備２０が排水設備の機能を兼ね備える。
【００２３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば設置するポンプＰやエジェクターＥや濾過機Ｆの接続順序や接続個数は種々の変更が可能である。バルブＶの接続位置や構造も種々の変更が可能であり、さらにバルブＶを省略してパイプの接続状態を直接変更することで水の養殖池１０への供給と外部への排水とを切り換えるようにしても良い。また上記実施形態では吸込側パイプライン３０と吐出側パイプライン５０とを養殖池１０の底部１２全体にわたって面状に広がるように設置したが、底部１２全体ではなく、底部１２の一部の面上において面状に広がるように設置しても良い。
【００２４】
【発明の効果】
以上詳細に説明したように本発明によれば以下のような優れた効果を有する。
▲１▼吸込側パイプラインと吐出側パイプラインとを養殖池内に設置して水の吸い込みと曝気後の水の吐き出しとを行うようにしたので、前記吸い込みと吐き出しを養殖池内の複数箇所で容易に行なうことができ、これによって養殖池内の水の流れを養殖池の斜面や底部を侵食させる広範囲な循環流れとならないようにすることができる。このため養殖に必要な曝気を実現しつつ、へどろを減少させ、養殖池とその周辺地域の環境を保護すると共に、養殖池の長寿命化を実現できる。また従来の養殖方法では、養殖期間が終了すると時間と労力をかけてへどろを除去したり、天日干しを実施して次回の養殖に備える必要があったが、本発明ではへどろが減少できるため、次回の養殖準備における時間や労力が軽減でき、短期間で再養殖可能になり、生産性が向上できる。
【００２５】
▲２▼曝気設備中に濾過機を設置したので、別途濾過設備を設置しなくても病気の原因となる養殖池中の浮遊物を容易に低コストに除去できる。
【００２６】
▲３▼本発明にかかる曝気設備を、養殖池で養殖した被養殖生物の収穫時の排水に利用することができるので、移動式仮設ポンプ等の排水設備を別途用意する必要がなくなる。
【図面の簡単な説明】
【図１】本発明の一実施形態にかかる曝気設備２０を養殖池１０内に設置した状態を示す概略斜視図である。
【図２】吸込側パイプライン３０（又は吐出側パイプライン５０）の吸込口３５（又は吐出口５５）部分を示す要部拡大斜視図である。
【図３】曝気設備２０による曝気時の水の流れを示す概略図である。
【図４】パドルホイールエアレータ１１０による曝気時の水の流れを示す概略図である。
【符号の説明】
１０  養殖池
１１  側壁
１２  底部
２０  曝気設備
３０  吸込側パイプライン
３１  主管
３３  枝管
３５  吸込口
３７  防護用ネット
３９  脚部
４０  引出パイプ
５０  吐出側パイプライン
５１  主管
５３  枝管
５５  吐出口
５７  防護用ネット
５９  脚部
６０  排水用パイプ
Ｆ  濾過機
Ｐ  ポンプ
Ｖ  三方弁
Ｅ  エジェクター
【図１】
2004261008.tif 000003
【図２】
2004261008.tif 000004
【図３】
2004261008.tif 000005
【図４】
2004261008.tif 000006